(57)【要約】      （修正有）【課題】座席の高さを調整可能な椅子の提供。【解決手段】座席組３０は該位置決め棒１２に接合し、該座席組３０は座席３１を具える。該座席３１は、受け止め台３２上に設置し、該受け止め台３２は該座席３１を受け止める。該受け止め台３２により該座席３１の交換は便利となる。該受け止め台３２の一端には、一対の係合部品３３を設置し、該係合部品３３の一端には係合部３３１を具える。該係合部品３３は係合部３３１を利用し該位置決め棒１２上に固定する。該係合部品３３に反対の係合部３３１の一端は接合部３３２と固定部３３３えお設置し、該接合部３３２は適した位置の位置決め棒１２に接続可能である。該接合部３３２傍らには、固定部３３３を具え、椅子を折り畳み後も該固定部３３３は該位置決め棒１２上内側に係合され、該座席組３０は、落下の恐れはない。【選択図】図２
0003118272.tif 000002
【実用新案登録請求の範囲】
【請求項１】
主に第一脚フレーム組、第二脚フレーム組、座席組を含み、
該第一脚フレーム組は数本の位置決め棒を設置し、
該第二脚フレーム組は折畳み部により該第一脚フレーム組に接続し、該第二脚フレーム組は該第一脚フレーム組に対応し可動回転、折畳みが可能となり、
該座席組の一端には係合部品を設置し、該係合部品の一端には係合部を設置し、該係合部は該定位棒に係合接続後、該定位棒内側位置に接合することができ、該係合部と反対の一端には接合部を設置し、該係合部は該定位棒に接続する時、反対端の接合部は別の定位棒に係合することができ、これにより該座席組は該定位棒において取外し可能な状態で設置され、座席の高さを調整可能となることを特徴とする座席の高さを調整可能な椅子。
【請求項２】
前記接合部の傍らには固定部を設置し、椅子を折畳んだ後、該固定部は該位置決め棒に係合接続し、これにより該座席組は該位置決め棒上に係合することを特徴とする請求項１記載の座席の高さを調整可能な椅子。
【請求項３】
前記係合部、前記接合部、前記固定部の個数は１個或いは２個以上とすることを特徴とする請求項２記載の座席の高さを調整可能な椅子。
【考案の詳細な説明】
【技術分野】
【０００１】
本考案は一種の座席の高さを調整可能な椅子に関する。特に一種の構造が簡単で分解が便利な座席の高さを調整可能な椅子に係る。
【背景技術】
【０００２】
科学技術の発展と進歩に伴い、人々の生活全般に対する要求も機能重視の古い考え方から、きめ細かくより高いレベルが求められるようになっている。絶えず進歩を続け、最新の構想で新しい形態を生み出し製品の付加価値を高め、効果的にコストを低減して行かなければ、現在の激しい市場競争では生き残れない。
【０００３】
公知の折畳み椅子は、繰返し折畳みまた大量に積重ねると座席の損壊を招き易い。また折畳み椅子を積み重ね収納する時にも、摩擦により座席が損壊し易い。さらに折畳み時、公知の折畳み椅子は座席を取り外すことができないため、占める空間を小さくすることができない。
【０００４】
また公知の折畳み椅子は、工場出荷時に座席が一定の高度に固定されていることが多いため、座席の高さが合わないことが原因で座り心地が悪くなり、さらに長時間の使用にとっては非常な苦痛をもたらす。
【０００５】
上記問題に鑑み、椅子脚の後端に昇降装置を可動設置した特許文献１「座面高度を調整可能な折畳み椅子」が開発された。該構造は昇降構造１３を含み、椅子脚１２内縁に切槽３４を設置し、該切込溝３４は長方形の棒状歯車２４をその中に可動設置する。該長方形の棒状歯車２４は該椅子脚１２の切槽３４に可動設置後は永久に固定状態となる。該長方形の棒状歯車２４は扁平状体で、外側には歯車を具え、内縁は平板面である。該長方形の棒状歯車２４が具える歯車は該椅子脚１２外縁管体縁面に露出し、昇降調整構造１３を可動接続する。椅子座席１５は固定状態の構造で、係合受け止め台２２を該椅子脚１２上に適当な高さに調整する時、調整係合バー２５を利用し該係合受け止め台２２上に偏心リベット接合する。該調整係合バー２５は偏心回転作用により、末端の棒状歯車４０を駆動し、該椅子脚１２の長方形の棒状歯車２４を噛合わせる。位置を調整する時には、該椅子座席１５は２本の棒状歯車２４、４０間に向かい離脱状態となり、該係合受け止め台２２は該椅子脚１２に沿って上下に移動し、該椅子座席１５の高さを調整する。
【０００６】
しかし、公知構造は実用においては多くの欠点が存在する。先ず、該昇降構造１３は主に該係合受け止め台２２により該椅子脚１２に沿って上下に移動し、該椅子１５の高さを調整するが、構造が複雑で移動に従い椅子座席の高さを調整し、加えて係合受け止め台２２は該椅子脚１２において上下移動を行うため、２本の棒状歯車間に摩擦を引起しており、長時間の相互作用によって、該歯車は損壊し易くなり、該係合受け止め台２２を押しにくくなる。
【０００７】
【特許文献１】台湾特許公告第１６７８７５号明細書
【考案の開示】
【考案が解決しようとする課題】
【０００８】
公知構造は椅子を繰返し折畳むと座席の損壊を招き易く、また折畳んでも座席を取外しできないため収納に場所を取り、また座席が一定の高さに固定されるため、使用者のニーズに応じて必要な高さに調整することができず、人体工学が全く考慮されていない。また公知構造では昇降構造を利用し座席の高さを調整するが、該構造は上下移動を必要とするため、２本の歯車間の摩擦が長期間に及ぶと押しにくくなり、使用において極めて不便である。
【０００９】
本考案は上記構造の問題点を解決した座席の高さを調整可能な椅子を提供するものである。上記課題を解決するため、本考案は下記の座席の高さを調整可能な椅子を提供する。それは主に第一脚フレーム組、第二脚フレーム組、座席組を含み、該第一脚フレーム組は数本の位置決め棒を設置し、該座席組は座席と受け止め台を設置し、該受け止め台の一端には係合部品を設置し、該係合部品の一端には係合部を設置し、該係合部品の該係合部と反対の一端には接合部と固定部を設置し、該係合部品を利用し該位置決め棒上に係合接続し、座席の逆さを調整する作用を達成し、椅子の折畳み後は、該固定部は該位置決め棒に接合し、該座席組は脱落せず、その構造上の設計は簡単で、座席の高さを簡単に調整可能である他、その取外し式の座席は折畳み後にはさらにコンパクトになることを特徴とする座席の高さを調整可能な椅子である。
【課題を解決するための手段】
【００１０】
請求項１の考案は、主に第一脚フレーム組、
第二脚フレーム組、座席組を含み、
該第一脚フレーム組は数本の位置決め棒を設置し、
該第二脚フレーム組は折畳み部により該第一脚フレーム組に接続し、該第二脚フレーム組は該第一脚フレーム組に対応し可動回転、折畳みが可能となり、
該座席組の一端には係合部品を設置し、該係合部品の一端には係合部を設置し、該係合部は該位置決め棒に係合接続後、該位置決め棒内側位置に接合することができる。該係合部と反対の一端には接合部を設置し、該係合部は該位置決め棒に接続する時、反対端の接合部は別の定位置決め棒に係合することができ、これにより該座席組は該位置決め棒において取外し可能な状態で設置され、座席の高さを調整可能となることを特徴とする座席の高さを調整可能な椅子としている。
請求項２の考案は、前記接合部の傍らには固定部を設置し、椅子を折畳んだ後、該固定部は該位置決め棒に係合接続し、これにより該座席組は該位置決め棒上に係合することを特徴とする請求項１記載の座席の高さを調整可能な椅子としている。
請求項３の考案は、前記係合部、前記接合部、前記固定部の個数は１個或いは２個以上とすることを特徴とする請求項２記載の座席の高さを調整可能な椅子としている。
【考案の効果】
【００１１】
上記のように、本考案の座席組の係合部品構造は位置決め棒において簡単に係合され、調整が便利であり、使用上も快適である。また本考案の座席組の取外し構造はシンプルで、座席の交換が容易であり、実用上の利便性を向上させる効果を具える。
【考案を実施するための最良の形態】
【００１２】
図１に示すように、本考案の座席の高さを調整可能な椅子１は第一脚フレーム組１０、第二脚フレーム組２０、座席組３０を含む。
【００１３】
さらに図１、２に示すように、該第一脚フレーム組１０上には背もたれ１１を設置する。該第一脚フレーム組１０の２本の脚棒中には数本の位置決め棒１２を設置し、該位置決め棒１２は高度を調整可能である。
【００１４】
該第二脚フレーム組２０は折畳み部２２を該第一脚フレーム組１０に可動設置し、これにより該折畳み部２２は折畳みと展開が可能となる。該第二脚フレーム組２０の２本の脚棒間には横棒２１を設置する。
【００１５】
該座席組３０は該位置決め棒１２に接合し、該座席組３０は座席３１を具える。該座席３１は受け止め台３２上に設置し、該受け止め台３２は該座席３１を受け止める。該受け止め台３２は孔３２１及び螺合部品３２２により該座席３１と一緒に設置し、該受け止め台３２により該座席３１の交換は便利となる。該受け止め台３２の一端には一対の係合部品３３を設置し、該係合部品３３の一端には係合部３３１を具える。該係合部品３３は係合部３３１を利用し該位置決め棒１２上に固定する。
該係合部品３３に反対の係合部３３１の一端は接合部３３２と固定部３３３を設置し、該接合部３３２は適した位置の位置決め棒１２に接続可能である。該接合部３３２傍らには固定部３３３を具え、椅子を折畳み後も該固定部３３３は該位置決め棒１２上内側に係合され、該座席組３０は落下の恐れはない。
【００１６】
続いて図３、４に示すように、該座席３１の高さを調整する時には、先ず該座席組３０の係合部品３３を該位置決め棒１２から取外し、使用者の必要に応じて、該係合部品３３の係合部３３１を必要とする高さの位置決め棒１２に係合する。この時、該接合部３３２はそれより低い位置の位置決め棒に接続する。該２本の位置決め棒１２間は該係合部３３１と該接合部３３２によりそれぞれ係合されるため、該座席３１高度調整を達成することができる。
【００１７】
次に図６に示すように、該係合部３３１が該位置決め棒１２内側に係合する時、該接合部３３２は別のより低い位置の位置決め棒１２に接続するため、その係合は非常に簡単である。
【００１８】
また図７に示すように、本考案の椅子１は折畳み後、該係合部３３１と接合部３３２は、該椅子１が折畳まれたことにより該位置決め棒１２上に接続しないが、該固定部３３３が該位置決め棒１２に接続するため、該座席組３０において全体が脱落することはない。さらに該座席組３０の取外し構造は、折畳むとコンパクトになる特性を具える。
【図面の簡単な説明】
【００１９】
【図１】本考案の立体図である。
【図２】本考案の立体分解図である。
【図３】座席の係合部と接合部が位置決め棒において係合する様子を示す本考案の側面図である。
【図４】調整される座席位置の高さを示す本考案の側面図である。
【図５】本考案の背面図である。
【図６】座席の係合部品が位置決め棒内側に係合する様子を示す本考案の局部拡大図である。
【図７】椅子の折畳み状態を示す本考案の側面図である。
【符号の説明】
【００２０】
１  椅子
１０  第一脚フレーム組
１１  背もたれ
１２  位置決め棒
２０  第二脚フレーム組
２１  横棒
２２  折畳み部
３０  座席組
３１  座席
３２  受け止め台
３２１  孔
３２２  螺合部品
３３  係合部品
３３１  係合部
３３２  接合部
３３３  固定部
【図１】
0003118272.tif 000003
【図２】
0003118272.tif 000004
【図３】
0003118272.tif 000005
【図４】
0003118272.tif 000006
【図５】
0003118272.tif 000007
【図６】
0003118272.tif 000008
【図７】
0003118272.tif 000009